(57)【要約】【課題】  本発明は、表示部周囲の額縁部の少なくと２辺に入力装置を配設し、表示部に機能メニューに対応したメニュー表示を表示することにより、操作性に優れた入力装置付き表示装置を提供すること。【解決手段】  本発明の入力装置付き表示装置は、液晶表示装置からなる表示部と２、この表示部２周囲に形成した額縁部３とを備え、額縁部３には、タッチすることによりスイッチ回路を切り換え可能な入力装置４〜７が配設され、表示部２には、複数の機能メニューに対応する複数のメニュー表示２ａ〜２ｃが表示可能となっており、表示部２に表示した所望のメニュー表示に対応する位置の入力装置７の操作により、所望の機能メニュウの起動あるいは／および選択が可能になっている。【選択図】        図１
2006195768.tif 000002
【特許請求の範囲】
【請求項１】
液晶表示装置からなる表示部と、この表示部を囲むように周囲に形成した額縁部とを備え、前記額縁部には、触れることによりスイッチ回路を切り換え可能な入力装置が配設され、前記表示部には、複数の機能メニューに対応する複数のメニュー表示が表示可能となっており、前記表示部に表示した所望の前記メニュー表示に対応する位置の前記入力装置の操作により、所望の機能メニュウの起動あるいは／および選択が可能になっていることを特徴とする入力装置付き表示装置。
【請求項２】
前記額縁部には、所定の幅寸法と厚さ寸法に形成されて前記入力装置が部分的に埋設され、前記入力装置の表面に形成した操作面は、周囲が所定高さのガイド突起で囲まれていることを特徴とする請求項１記載の入力装置付き表示装置。
【請求項３】
前記表示部に表示した前記メニュウ表示は、前記額縁部に配設した前記入力装置近傍で前記表示部の外周部寄りの位置に表示したアイコンからなり、所望の前記アイコン近傍の前記入力装置の操作により、前記アイコンに対応する所望の前記機能メニューが起動して、前記表示部上に前記機能メニューに対応するメニューリストが表示されることを特徴とする請求項１、または２記載の入力装置付き表示装置。
【請求項４】
前記メニューリストが表示された後、前記所望のアイコン近傍の前記入力装置を再度操作することにより、前記メニューリストの中から所望のメニューを選択可能になっていることを特徴とする請求項３記載の入力装置追記表示装置。
【請求項５】
前記額縁部は、外形が矩形状に形成され、前記額縁部に配設した前記入力装置は、長尺状に形成されて、少なくとも前記額縁部の互いに隣り合ってＸ方向とＹ方向に直交する２辺の長手方向に沿って配設され、前記表示部に表示した複数の前記メニュー表示は、複数の機能メニューを前記表示部のＸ方向およびＹ方向に整列して表示した一覧表示からなり、前記一覧表示の中の所望の前記メニュウ表示に対応する前記Ｘ方向とＹ方向の少なくとも２箇所の前記入力装置を操作することにより、複数の前記機能メニュウの中から所望の前記機能メニューの選択が可能になっていることを特徴とする請求項１、または２記載の入力装置付き表示装置。
【請求項６】
前記表示部に表示した前記一覧表示のそれぞれの前記機能メニューは、前記入力装置の操作によって表示サイズを調整可能になっていることを特徴とする請求項５記載の入力装置付き表示装置。
【発明の詳細な説明】
【技術分野】
【０００１】
本発明は入力装置付き携帯型表示装置に関し、表示部に表示したメニュウ表示近傍の額縁部に配設した入力装置により、機能メニューのモード切り換えが可能になっている入力装置付き携帯型表示装置に関する。
【背景技術】
【０００２】
従来の入力装置付き表示装置を特許文献１に基づいて説明すると、従来の入力装置付き表示装置３１は、図４に示すように、表示部３２と、この表示部３２の周囲に額縁部３３が形成され、この額縁部３３の下部側にスライドパッドからなる入力装置３４が配設されている。
【０００３】
このような従来入力装置付き表示装置３１の操作は、入力装置３４の表面を操作の指で触れることにより、表示部３２に図５に示すようなメインメニュウ３５が表示される。前記メインメニュー３５は、例えば輝度、コントラスト、サイズ、位置、歪み等を調整可能なアイコン形式の複数のメニュー表示３５ａ〜３５ｋからなっている。
【０００４】
そして、表示部３２上に表示した画像の水平位置を調整する場合は、入力装置３４上を指で触ると、表示部３２上にメインメニュー３５が立ち上がる。そして、入力装置３４上に位置させた指をスライドさせると、表示部３２上のカーソル３６が移動してサイズ／位置調整のメニュウ表示３５ｃ上に位置する。
この状態で、入力装置３４の表面を指で軽く叩くことにより、メインメニュー３５が図６に示すように、水平位置調整用の調整画面３７に切り換わる。
更に、水平位置調整用の調整画面３７において、水平位置調整のアイコン３８にカーソル３６を移動させて、入力装置３４の表面を軽く叩く。
【０００５】
この操作に応じてスクロールバー３９が表示され、入力装置３４上に位置させた撮影者の指等を左右にスライドさせることで、表示部３２に表示した画像の水平位置を調整することができる。
また、画像の水平位置が所望の位置となると、図６に示す右下のアイコン４０にカーソル３６を位置合わせした状態で入力装置３４の表面を軽く叩くことで調整画面３７が消える。このことにより、表示部３２上に表示していた画像の全体が現れるようになっている。
【特許文献１】特開２０００−３２２０４６号公報
【発明の開示】
【発明が解決しようとする課題】
【０００６】
しかし、前述したような従来の入力装置付き表示装置においては、入力装置３４が、下方側の額縁部３３の一辺だけに配設していたので、複数の機能メニューを立ち上げて調整する時に、その都度カーソル３６を移動させて所望のメニュー表示に位置合わせしなければいけなかったので、操作が煩わしい問題があった。
また、入力装置３４を操作してカーソル３６を移動させていたので、表示装置３１が携帯型の場合だと、カーソル３６を所望のメニュー表示に位置合わせするのが難しかった。
【０００７】
本発明は前述したような課題を解決して、表示部を囲む周囲の額縁部の少なくと２辺に入力装置を配設し、表示部に機能メニューに対応したメニュー表示を表示することにより、操作性に優れた入力装置付き表示装置を提供することを目的とする。
【課題を解決するための手段】
【０００８】
前記課題を解決するための第１の手段として本発明の入力装置付き表示装置は、液晶表示装置からなる表示部と、この表示部を囲むように周囲に形成した額縁部とを備え、前記額縁部には、触れることによりスイッチ回路を切り換え可能な入力装置が配設され、前記表示部には、複数の機能メニューに対応する複数のメニュー表示が表示可能となっており、前記表示部に表示した所望の前記メニュー表示に対応する位置の前記入力装置の操作により、所望の機能メニュウの起動あるいは／および選択が可能になっていることを特徴とする。
また、前記課題を解決するための第２の手段として、前記額縁部には、所定の幅寸法と厚さ寸法に形成されて前記入力装置が部分的に埋設され、前記入力装置の表面に形成した操作面は、周囲が所定高さのガイド突起で囲まれていることを特徴とする。
【０００９】
また、前記課題を解決するための第３の手段として、前記表示部に表示した前記メニュウ表示は、前記額縁部に配設した前記入力装置近傍で前記表示部の外周部寄りの位置に表示したアイコンからなり、所望の前記アイコン近傍の前記入力装置の操作により、前記アイコンに対応する所望の前記機能メニューが起動して、前記表示部上に前記機能メニューに対応するメニューリストが表示されることを特徴とする。
また、前記課題を解決するための第４の手段として、前記メニューリストが表示された後、前記所望のアイコン近傍の前記入力装置を再度操作することにより、前記メニューリストの中から所望のメニューを選択可能になっていることを特徴とする。
【００１０】
また、前記課題を解決するための第５の手段として、前記額縁部は、外形が矩形状に形成され、前記額縁部に配設した前記入力装置は、長尺状に形成されて、少なくとも前記額縁部の互いに隣り合ってＸ方向とＹ方向に直交する２辺の長手方向に沿って配設され、前記表示部に表示した複数の前記メニュー表示は、複数の機能メニューを前記表示部のＸ方向およびＹ方向に整列して表示した一覧表示からなり、前記一覧表示の中の所望の前記メニュウ表示に対応する前記Ｘ方向とＹ方向の少なくとも２箇所の前記入力装置を操作することにより、複数の前記機能メニュウの中から所望の前記機能メニューの選択が可能になっていることを特徴とする。
また、前記課題を解決するための第６の手段として、前記表示部に表示した前記一覧表示のそれぞれの前記機能メニューは、前記入力装置の操作によって表示サイズを調整可能になっていることを特徴とする。
【発明の効果】
【００１１】
本発明の入力装置付き表示装置の額縁部には、触れることによりスイッチ回路を切り換え可能な入力装置が配設され、表示部には、複数の機能メニューに対応する複数のメニュー表示が表示可能となっており、表示部に表示した所望のメニュー表示に対応する位置の入力装置の操作により、所望の機能メニュウの起動あるいは／および選択が可能になっているので、所望のメニュー表示に対応する額縁部に配設した入力装置を操作することで、所望に機能メニューを立ち上げることができ、操作性に優れている。
また、操作装置を操作するだけで複数の入力ができ、表示部を触らないので、表示部が汚れることが無く、表示部に表示される画像等を鮮明にすることができる。
また、額縁部には、所定の幅寸法と厚さ寸法に形成されて入力装置が部分的に埋設され、入力装置の操作面は、額縁部の表面から露出しており、この露出した操作面の周囲が、所定高さのガイド突起で囲まれているので、ガイド突起に指が触ったことを認識する触覚で入力装置の操作が可能となり操作性に優れている。
【００１２】
また、表示部に表示したメニュウ表示は、額縁部に配設した入力装置近傍で表示部の外周部寄りの位置に表示したアイコンからなり、所望のアイコン近傍の入力装置の操作により、アイコンに対応する所望の機能メニューが起動して、表示部上に機能メニューに対応するメニューリストが表示されるので、誤入力等の弊害を無くすることができる。
また、メニューリストが表示された後、所望のアイコン近傍の入力装置を再度操作することにより、メニューリストの中から所望のメニューを選択可能になっているので、操作性に優れている。
【００１３】
また、表示部に表示した複数のメニュー表示は、複数の機能メニューを表示部のＸ方向およびＹ方向に整列して表示した一覧表示からなり、一覧表示の中の所望のメニュウ表示に対応するＸ方向とＹ方向の少なくとも２箇所の入力装置を操作することにより、複数の機能メニュウの中から所望の機能メニューの選択が可能になっているので、表示部に表示したメニュウリストの中から所望のメニュウを容易に選択することができ、操作性に優れている。
また、表示部に表示した一覧表示のそれぞれの機能メニューは、入力装置の操作によって表示サイズを調整可能になっているので、少ない入力装置で複数の入力を行うことができ、部品点数を少なくできる。
【発明を実施するための最良の形態】
【００１４】
以下、本発明の入力装置付き表示装置を図面に基づいて説明する。まず、図１は本発明の表示装置の表示部に表示した第１の画面を説明する平面図であり、図２は本発明の表示装置の表示部に表示した第２の画面を説明する平面図であり、図３は本発明の表示装置の表示部に表示した第３の画面を説明する平面図であり、図４は本発明の表示装置の表示部に表示した第４の画面を説明する平面図である。
【００１５】
まず、本発明の入力装置付き表示装置１を、例えば携帯可能なデジタルカメラで説明すると、デジタルカメラのレンズを取り付けた側と反対側には、液晶表示装置からなる表示部２が配設され、この表示部２を囲むように周囲に所定の幅寸法の額縁部３が設けられている。
前記額縁部３の図示左右には、左辺部３ａと右辺部３ｂとが互いに対向して形成され、図示上下には、上辺部３ｃと下辺部３ｄとが互いに対向して形成されている。
【００１６】
そして、額縁部３の左辺部３ａ、右辺部３ｂ、上辺部３ｃには、長尺状の第１〜第３入力装置４〜６が配設され、下辺部３ｄには、第１〜第３入力装置４〜６より短尺の第４入力装置７が所定の間隔を有して４個配設されている。
前記第１〜第４の入力装置４〜７のそれぞれは、表面に滑りの良い操作面４ａ〜７ａが形成され、この操作面４ａ〜７ａが額縁部３の表面から露出している。
そして、操作面４ａ〜７ａ上に撮影者の指を軽く触れると、内部のスイッチ回路が切り換わって所望の座標入力が可能になっている。
【００１７】
前記スイッチ回路は、図示を省略するが、例えばＸ電極とＹ電極とをマトリック状に組み合わせて、撮影者の指が操作面４ａ〜７ａ上を触れることにより、指とＸ電極およびＹ電極との間の静電容量が変化し、この静電容量の変化に対応して所望の座標入力がされるようになっている。
あるいは、撮影者の指が操作面４ａ〜７ａ上を触れた状態で操作面４ａ〜７ａの長手方向に沿ってスライドさせることで、表示部２に表示した機能メニュウ等の階層レベルを換えることもできるようになっている。
【００１８】
また、第１〜第４の入力装置４〜７のそれぞれは、額縁部３の表面から露出している操作面４ａ〜７ａの周囲に所定高さのガイド突起３ｅが形成されている。
即ち、第１〜第４の入力装置４〜７は、操作面４ａ〜７ａの周囲が所定高さのガイド突起３ｅで囲まれている。
そのために、第１〜第４の入力装置４〜７の入力を目視で確認しながら行わなくても、ガイド突起３ｅに指が触ったことを認識する触覚で第１〜第４の入力装置４〜７の操作が可能となる。
【００１９】
このような本発明の入力装置付き表示装置１の操作を図面に基づいて説明すると、まず、デジタルカメラからなる表示装置１が撮影モードになっている時の表示部２は、ＣＣＤ（撮像素子）に受像した画像を表示可能な第１の画面になっている。
そして、撮影モードになっている時の第１の画面には、額縁部３の下辺部３ｂに配設した第４の入力装置７近傍で表示部２の下部の外周部寄りの位置にメニュー表示である複数のアイコンが表示されている。
前記複数のアイコンは、例えばデジタルカメラ側の機能メニューであるフラッシュモード、接写モード、セルフタイマーモードに対応した第１〜第３のアイコン２ａ〜２ｃとなっている。
【００２０】
そして、例えばセルフタイマーモードに対応した第３のアイコン２ｃの操作を説明すると、セルフタイマー撮影を行う場合に、第３のアイコン２ｃに対応する位置の第４の入力装置７（図示右端のもの）の操作面７ａに撮影者の指が触ると、例えば図２に示すような第２の画面が起動して、第３のアイコン２ｃに対応するセルフタイマーメニューである第１メニューリスト８が立ち上がる。
【００２１】
そして、立ち上がり直後の第１メニューリスト８は、「切」となっており、この状態で、第１メニューリスト８に対応する位置の第２の入力装置５の操作面５ａを触ると、第２の入力装置５のスイッチ回路が切り換わって、第１メニューリスト８の中から所望のメニューである、例えばセルフタイマー時間が１０秒のメニューが選択される。
即ち、入力装置７および５の操作により、所望の機能メニューの起動あるいは／および選択が可能になっている。
【００２２】
そして、セルフタイマー時間が１０秒のメニューに設定した後、例えば４個の中の図示左端の第４入力装置７に再度触ると、１０秒のメニューが決定されると共に、第２の画面が消えて第１の画面に戻り、撮影予定の画像が表示部２に大きく表示される。
即ち、同じ入力装置７を繰り返し操作することで、機能メニューの起動および選択、決定等の複数の入力が可能であり、操作性に優れている。
【００２３】
そして、表示部２が第１の画面に戻って、撮影者がデジタルカメラのシャッターボタンを押すことで、１０秒後にシャッターが切れて、表示部２に表示されている画像を撮影することができる。
【００２４】
また、第１〜第３のアイコン２ａ〜２ｃを用いない場合は、第１〜第４入力装置４〜７とは異なるボタンを操作することで、図３に示すような表示部２上に、複数の機能メニューに対応する第２メニューリスト９を表示した第３の画面に切り換わる。
そして、第２メニューリスト９の中から複数の機能メニューの一つである、例えばセルフタイマーメニューを選択する場合には、セルフタイマーと書かれたメニュー表示近傍の第１入力装置４を軽く触ると、表示部２の右側に、図２に示したものと同じ第１のメニューリスト８が立ち上がる。
【００２５】
その後、例えばセルフタイマー時間を１０秒にしたい場合には、１０秒のメニュー表示近傍の第２入力装置５を軽く触るとと共に、表示部２の上部側に表示された設定モード２ｄ近傍の第３入力部６を軽く触ると、セルフタイマー時間が１０秒に設定される。
そして、セルフタイマー時間を１０秒に設定後、表示部２の下部側に表示された決定モード２ｅ近傍（図示左から２番目）の第４入力装置７に触ると、セルフタイマー時間が１０秒に決定されると共に、第２の画面から第１の画面に戻り、撮影予定の画像が表示部２に大きく表示される。
【００２６】
また、セルタイマー機能をＯＦＦにしたい場合は、第１メニューリスト８に表示されている「切」のメニュー近傍の第２入力装置５に触ると、セルフタイマー機能がＯＦＦとなる。
このことにより、シャッターボタンを押すとすぐにシャッター動作が行われるようになっている。
【００２７】
また、更に、第１入力装置４の操作面４ａに位置させている指を上方、または下方にスライドさせると、第２メニューリスト９が上方、または下方にスクロールされて、図３に記載されているもの以外の機能メニューを表示部２上に表示することができるようになっている。
【００２８】
また、過去に撮影した画像等を閲覧したい場合は、第１〜第４入力装置４〜７以外の操作ボタン（図示せず）を操作して、表示部２上に表示メニューである図４に示すような、過去に撮影した複数の画像を、Ｘ方向、Ｙ方向に整列して一覧表示１０として表示することができる。
そして、一覧表示１０の中の所望の画像（メニュー表示）をプリンタ等で印刷する場合は、額縁部３のＸ方向とＹ方向に直交する少なくとも２辺（左片部３ａと上辺部３ｃ）の長手方向に沿って配設した第１入力装置４と第３入力装置７の所望の画像に対応する位置を触ることにより、所望の画像を選択できるようになっている。
【００２９】
前記所望の画像を選択後、決定モード２ｅ近傍で決定モード２ｅに対応する位置の第４入力装置７の操作面７ａ操作することにより、選択した所望の画像が決定されて、表示部２上に大きく表示される。
そして、選択した所望の画像をプリンタによって印刷することができる。また、図４に示す第２入力装置５近傍の操作部２には、一覧表示１０の中のそれぞれの画像をズーミング操作可能なズーミングアイコン１１が表示されている。
【００３０】
そして、第２入力装置５の操作面５ａ上に撮影者の指を位置させて、例えば図示上方にスライドさせると、一覧表示１０のそれぞれの画像を大きく表示することができ、下方にスライドさせると小さく表示させることができるようになっている。例えば、図４に示す表示部２上に表示した一覧表示１０には、個々の画像が１６枚表示されているが、この１６枚の画像を大きくする方向にズーミングすることにより、９枚、あるいは４枚、あるいは１枚と大きく表示できるようになっている。
また、図４に示すｍｅｎｕモード２ｆ近傍でｍｅｎｕモード２ｆに対応する位置の代４入力装置７の操作面７ａを操作することにより、選択した画像を加工したり、削除したりすることが可能なメニュー表示を行うことができる。
【００３１】
このような本発明の入力装置付き表示装置は、入力時に表示部２上を触らなくても良いので、表示部２の汚れを少なくでき、表示部２に表示する画像等を鮮明に表示することができる。
また、表示部２にカーソル等を標示しないので、カーソル等をＸ方向、またはＹ方向に移動させる煩わしい操作がないので入力操作が簡単で容易である。
尚、本発明の実施の携帯では、額縁部３全ての辺部３ａ〜３ｄに入力装置４〜７を配設したもので説明したが、少なくとも額縁部３の互いに隣り合ってＸ方向とＹ方向に直交する２辺（例えば図１において、右辺部３ｂと上辺部３ｃ）に配設したものでも良い。
また、それぞれの入力装置４〜７を静電容量式のもので説明したが、複数の可動接点と固定接点とを有するメンブレンスイッチのようなものでも良い。
【図面の簡単な説明】
【００３２】
【図１】本発明の入力装置付き表示装置の表示部に表示した第１の画面を説明する平面図である。
【図２】本発明の入力装置付き表示装置の表示部に表示した第２の画面を説明する平面図である。
【図３】本発明の入力装置付き表示装置の表示部に表示した第３の画面を説明する平面図であ留。
【図４】本発明の入力装置付き表示装置の表示部に表示した第４の画面を説明する平面図である。
【図５】従来の入力装置付き表示装置の斜視図である。
【図６】従来の入力装置付き表示装置の表示部に表示したメインメニューである。
【図７】従来の入力装置付き表示装置の表示部に表示した調整画面である。
【符号の説明】
【００３３】
１  入力装置付き表示装置
２  表示部
２ａ  第１のアイコン
２ｂ  第２のアイコン
２ｃ  第３のアイコン
２ｄ  設定モード
２ｅ  決定モード
３  額縁部
３ａ  左辺部
３ｂ  右辺部
３ｃ  上辺部
３ｄ  下辺部
４  第１入力装置
５  第２入力装置
６  第３入力装置  
７  第４入力装置
８  第１メニューリスト
９  第２メニューリスト
１０  一覧表示
１１  ズーミングアイコン
【図１】
2006195768.tif 000003
【図２】
2006195768.tif 000004
【図３】
2006195768.tif 000005
【図４】
2006195768.tif 000006
【図５】
2006195768.tif 000007
【図６】
2006195768.tif 000008
【図７】
2006195768.tif 000009